(57)【要約】
【課題】
　簡単な構成でありながら、団扇とメガホンの態様の切り替えが容易で、かつ、携帯にも便利なデザイン性に優れたメガホン兼用団扇を提供する。
【解決手段】
　団扇１０は、全体が略扇状であって、外縁１６から内縁１８にかけて複数の折り曲げ線２０が設けられており、該折り曲げ線２０で区切られた部分には、それぞれ内縁１８側に紐２４の通し穴２２が形成されている。該通し穴２２には、表面１２と裏面１４を交互に伝うように紐２４が挿通される。また、挿通後の紐２４の端部を２本に合わせた状態で、ループ２５の大きさを調整するストッパ２８が設けられる。このため、ストッパ２８の位置を移動させるだけで、団扇１０とメガホン４０の相互の態様の切り替えを容易に行うことができるとともに、平面状に展開した団扇１０の状態で持ち運びができるため携帯性にも優れている。
【選択図】図１
0003099293.tif 000002
【実用新案登録請求の範囲】
【請求項１】
　メガホンに形成可能な団扇であって、
　全体が略扇状に形成されており、略円弧状の内周縁から略円弧状の外周縁にかけて、放射状に略等間隔で設けられた複数の折り曲げ線に沿って折り曲げ可能な台紙，
　前記複数の折り曲げ線によって区切られた部分の内周縁側に設けられた複数の通し穴，
　前記台紙の表面と裏面を交互に伝うように前記複数の通し穴に挿通されるとともに、前記台紙の左右いずれかの端部側の通し穴から両端が引き出される紐，
　該紐の両端側を合わせて形成されるループの大きさを調整するとともに、前記台紙の右端と左端をほぼ重ねた状態で固定可能なストッパ，
を備えたことを特徴とするメガホン兼用団扇。
【請求項２】
　前記ストッパが、前記紐の両端側を２本に重ねた部分をスライド可能であることを特徴とする請求項１記載のメガホン兼用団扇。
【請求項３】
　前記ストッパが、前記紐の一端に固定されるとともに、他端側をスライド可能であることを特徴とする請求項１記載のメガホン兼用団扇。
【請求項４】
　前記台紙の両端の重なり部分を接合する接合手段を設けたことを特徴とする請求項１〜３のいずれかに記載のメガホン兼用団扇。
【考案の詳細な説明】
【技術分野】
【０００１】
　本考案は、団扇に関するものであり、更に具体的には、筒状に丸めた状態ではメガホンとしても使用することができるメガホン兼用団扇に関するものである。
【背景技術】
【０００２】
　従来より、プロレス，野球，サッカーなどの観戦時には、観客が声援を送るために持参ないし観戦場で購入したメガホンを利用する。また、特に、暑い時期の観戦であれば、扇子や団扇を用意して涼をとる。このようなメガホンと団扇（扇子なども含む）を両方持参するのは荷物がかさばるが、これらを携帯せずに手持ちのパンフレットや新聞などの適当な紙を丸めてメガホンの代用にしたり、同じく適当な紙を団扇の代わりにしたりするのでは十分な効果を得ることができない。また、団扇とメガホンを両手に持って観戦すると、飲食などの他の動作の邪魔ともなる。そこで、これら２つの機能を合わせ持つ団扇ないしメガホンが多数提案されている。
【０００３】
　例えば、特許文献１には、メガホンの筒部と団扇の扇風板とを一体化したメガホンうちわが開示されている。同様に、特許文献２には、ハリセンの左右両端に筒状のメガホンを設け、扇子としても使用できるハリセンメガホンが記載されている。また、特許文献３には、扇状の台紙の一端側に設けられた細孔へ、他端側に形成された突出片を挿嵌させて角錐状のメガホンを構成することができるうちわ兼用メガホンが記載されている。更に、特許文献４には、扇状に形設した扇骨部材の表裏面に覆設部材を被着してうちわを形成するとともに、該うちわの両端部にメガホン形成用の係止部材を設けたメガホンに形成可能なうちわが記載されている。
【特許文献１】実開昭６３−６８８１５号公報（第１−２頁，第１−３図）
【特許文献２】特開平８−６３１７０号公報（第１図）
【特許文献３】実用新案登録第３０８８９０９号公報（第１図，第２図）
【特許文献４】登録実用新案第３０４０５０７号公報（第１頁，第１−５図）
【考案の開示】
【考案が解決しようとする課題】
【０００４】
　しかしながら、以上のような背景技術には次のような不都合がある。特許文献１及び２のように、団扇ないし扇子とメガホンを一体化すると、全体に厚みがでてしまい、メガホンが必要ない時にもかさばってしまう。また、特許文献３では、細孔へ突出片を嵌めてメガホンを構成しなくてならず、咄嗟にメガホンとして使用したい場合に、位置合わせに手間取ることがある。更に、特許文献４についても、うちわの両端にかぎ状フックの金具や面ファスナーなどの係止部材を設けてメガホンを形成するようにするため、やはり位置合わせに手間取る。また、メガホンを形成していない状態では、これら係止手段が邪魔になったり衣服などに引っ掛かったりするなどの不都合も生じる。また、一体型の場合でも係合部材を利用する場合でも、デザイン性に欠けている。
【０００５】
　この考案は、以上の点に着目したもので、メガホンとしての機能も備えるとともに、簡単な構成でありながら、団扇との機能の切り替えが容易で、かつ、携帯にも便利なデザイン性の高いメガホン兼用団扇を提供することを、その目的とするものである。
【課題を解決するための手段】
【０００６】
　前記目的を達成するため、本考案は、メガホンに形成可能な団扇であって、全体が略扇状に形成されており、略円弧状の内周縁から略円弧状の外周縁にかけて、放射状に略等間隔で設けられた複数の折り曲げ線に沿って折り曲げ可能な台紙，前記複数の折り曲げ線によって区切られた部分の内周縁側に設けられた複数の通し穴，前記台紙の表面と裏面を交互に伝うように前記複数の通し穴に挿通されるとともに、前記台紙の左右いずれかの端部側の通し穴から両端が引き出される紐，該紐の両端側を合わせて形成されるループの大きさを調整するとともに、前記台紙の右端と左端をほぼ重ねた状態で固定可能なストッパ，を備えたことを特徴とする。
【０００７】
　主要な形態の一つは、前記ストッパが、前記紐の両端を２本に重ねた部分をスライド可能であるか、もしくは、前記紐の一端に固定されるとともに、他端側をスライド可能であることを特徴とする。更に他の形態は、前記台紙の両端の重なり部分を接合する接合手段を設けたことを特徴とする。本考案の前記及び他の目的，特徴，利点は、以下の詳細な説明及び添付図面から明瞭になろう。
【考案の効果】
【０００８】
　本考案は、略扇状の台紙の内周縁から外周縁にかけて複数の折り曲げ線を設け、該折り曲げ線で区切られた部分ごとに紐の通し穴を設ける。そして、該複数の通し穴に前記台紙の表面と裏面を交互に伝うように紐を挿通するとともに、該紐の両端部を合わせて形成されるループの大きさを調節・固定するストッパを設けることとした。このため、前記紐のスライドにより、容易に団扇とメガホンの態様の切り替えを行うことができるとともに、平面状に展開可能なため、持ち運びにも便利であるという効果が得られる。また、メガホン形成時に係合部材や接着部材などを必要としないので、デザイン性にも優れている。
【考案を実施するための最良の形態】
【０００９】
　以下、本考案を実施するための最良の形態を、実施例に基づいて詳細に説明する。
【実施例１】
【００１０】
　最初に、図１を参照しながら本考案の実施例１を説明する。図１（Ａ）は、本実施例の団扇を示す斜視図であり、同図（Ｂ）は団扇の使用状態を示す図である。また、同図（Ｃ）及び（Ｄ）は、前記団扇をメガホンに変形する状態を示す斜視図であり、同図（Ｅ）は、前記メガホンの使用状態を示す図である。
【００１１】
　図１に示すように、団扇１０は、略円弧状の外縁１６と、該外縁１６と略同心の円弧状の内縁１８を有する略扇状となっており、厚紙などの台紙を所定形状に切り抜くなどの加工によって形成されている。該団扇１０には、前記内縁１８から外縁１６にかけて複数の折り曲げ線２０が形成されており、該複数の折り曲げ線２０に沿って山折りにすることで、同図（Ｄ）に示すようにメガホン４０に変形することが可能となっている。図示の例では、折り曲げ線２０は、略等間隔で７本形成されている。また、団扇１０の内縁１８側には、前記折り曲げ線２０によって区切られた部分ごとに、紐２４を通すための通し穴２２が形成されている。図示の例では、通し穴２２は８箇所に設けられている。なお、図示しない補強金具などを前記通し穴２２の縁に設けて、通し穴２２が容易に広がったり破れたりしないように補強するようにしてもよい。
【００１２】
　前記通し穴２２に挿通される紐２４は、団扇１０として全体を展開した状態において、前記通し穴２２の位置に対応する弧の２倍以上の長さを有している。該紐２４の一端は、団扇１０の右端１０Ａ側の通し穴２２に表面１２から裏面１４に向けて通された後、次は、隣の通し穴２２に裏面１４から表面１２に向けて通される。すなわち、紐２４は、団扇１０の表面１２と裏面１４を交互に縫うように通し穴２２に通される。同様の作業を繰り返して左端１０Ｂ側の通し穴２２から表面１２側へ引き出された紐２４の端部は、更に、右端１０Ａの通し穴２２に裏面１４側から表面１２側へ向けて通される。すなわち、図示のように、右端１０Ａの通し穴２２から、紐２４の両端が表側へ一緒に引き出された構成となっている。また、前記紐２４の両端部には、結び目２６が形成されており、更に、該結び目２６と団扇１０の間には、前記紐２４によって形成されるループ２５の大きさを調整するためのストッパ２８が設けられている。
【００１３】
　前記ストッパ２８としては公知の各種のものが適用可能であるが、本実施例では、紐２４を通す穴３２が設けられた本体３０に、紐２４に対する本体３０の位置を調節及び固定するための凸部３４が設けられたものが使用されている。前記凸部３４には、前記本体３０の穴３２と同方向で略同一径の穴３５（図１（Ｄ）参照）が形成されており、前記本体３０に対してバネで固定されている。すなわち、凸部３４を本体３０に対して押し込むと内部のバネが縮み、本体３０の穴３２と凸部３４の穴３５の位置が一致し、これらに挿通された紐２４がスライド可能となる。そして、任意の位置で凸部３４を離すと内部の縮んでいたバネが元に戻り、穴３２と穴３５の位置がずれるため、紐２４のスライドができなくなり、紐２４の任意の位置に対してストッパ２８が固定されるという具合である。
【００１４】
　次に、本実施例の作用について説明する。まず、団扇１０を図１（Ａ）に示すように展開した状態において、同図（Ｂ）に示すように、観戦者３６は、内縁１８側を持って団扇として使用する。そして、声援を送るなどメガホンとして使用したい場合には、同図（Ｃ）に示すように、ストッパ２８の凸部３４を本体３０に向けて押し込みながら、紐２４を矢印Ｆ１方向に引っ張り、ループ２５を小さくしていく。すると、団扇１０には、山折りの癖がつけられた折り曲げ線２０が設けられているため、表面１２を外側にして右端１０Ａと左端１０Ｂが近づき始める。そして、同図（Ｄ）に示すように、団扇１０の右端１０Ａと左端１０Ｂがほぼ重なるようになったら、ストッパ２８の凸部３４を離し、ストッパ２８を右端１０Ａの通し穴２２に接触させた状態で固定する。このようにしてメガホン４０に変形した団扇１０を、同図（Ｅ）に示すように手で持ち、内縁１８側を口に当て、メガホン４０として使用する。
【００１５】
　なお、再度団扇１０として使用するときには、前記ストッパ２８の凸部３４を押しながら、ストッパ２８を紐２４の結び目２６側まで移動させることで、メガホン４０を、同図（Ａ）及び（Ｂ）に示すように展開した状態に戻すことができる。このような動作を、団扇１０とメガホン４０の切り替えが必要になる都度、繰り返し行う。また、携帯時には、団扇１０のように展開した状態としてカバンなどに収納するようにしてもよいし、メガホン４０の形状のまま紐２４をカバンなどにぶら下げるようにしてもよく、利用者の都合のよい形状として持ち運べばよい。
【００１６】
　このように、実施例１によれば、内縁１８から外縁１６にかけて複数の折り曲げ線２０を設け、該折り曲げ線２０で区切られた部分ごとに形成された通し穴２２に、表面１２と裏面１４を交互に伝うように紐２４を挿通し、該紐２４の両端部を２本に合わせた状態で、ループ２５の大きさを調整するストッパ２８を設けることとした。このため、ストッパ２８の位置を移動させるだけで、団扇１０とメガホン４０の相互の切り替えを容易に行うことができるとともに、平面状に展開した団扇１０の状態で持ち運びができるため、携帯時にかさばることがない。また、メガホン形成時に係合部材や接着部材などを必要としないので、デザイン性に優れている。更に、団扇１０の通し穴２２に金もしくは銀色の金具を使用すれば、扇子としての風合いを醸し出すことができる。
【実施例２】
【００１７】
　次に、図２を参照しながら本考案の実施例２を説明する。なお、上述した実施例１と同一ないし対応する構成要素には同一の符号を用いることとする。図２（Ａ）は、本実施例の団扇を示す斜視図であり、同図（Ｂ）及び（Ｃ）は、前記団扇をメガホンに変形する状態を示す斜視図である。なお、前記実施例と同一又は対応する構成要素には、同一の符号を用いることとする。同図に示すように、本実施例の団扇５０は、基本的には前記実施例と同様の構成となっており、全体が略扇状に形成されるとともに、内縁１８側の通し穴２２には、紐５２が表面１２と裏面１４を交互に伝うように挿通されている。
【００１８】
　本実施例では、紐５２の一端には、前記実施例とは異なるストッパ５６が固定されており、団扇１０の左端１０Ｂまで挿通された側の端部は、更に、右端１０Ａの通し穴２２に、裏面１４から表面１２へ向けて通され、その向きのまま、前記他方の端部に固定されたストッパ５６の穴５８に挿通される。該ストッパ５６の穴５８に挿通される側の端部には、紐５２がストッパ５６から抜け落ちるのを防止するとともに、装飾を兼ねた房飾り５４が設けられている。このような紐５２は、図示の例では、団扇５０の複数の通し穴２２を通し終わったあと、左端１０Ｂの通し穴２２から右端１０Ａの通し穴２２を介してストッパ５６を挿通可能となる程度の長さとなるように設定されている。このため、図２（Ａ）に示すように、全体を展開して団扇５０の状態としていると、紐５２の一端に固定されたストッパ５６は、右端１０Ａの通し穴２２に接した状態から動くことがない。なお、前記ストッパ５６は、紐５２のスライド及び紐５２に対する位置の固定が可能な構成となっている。このようなストッパ５６は、公知であり、それら各種のものを利用することができる。
【００１９】
　本実施例では、団扇５０をメガホン６０として使用する場合には、図２（Ｂ）に示すように、ストッパ５６に対して、紐５２を矢印Ｆ２方向に引っ張り、同図（Ｃ）に示すように右端１０Ａの裏面側と左端１０Ｂの表面側がほぼ重なった状態になったら、紐５２に対してストッパ５６を固定させる。メガホン６０から団扇５０へ切り替えるときは、前記ストッパ５６を緩め、該ストッパ５６とともにメガホン６０の右端１０Ａを房飾り５４側へ移動させ、ストッパ５６が房飾り５４の頭部と接触する付近でスライドを停止させると、団扇５０として使用可能な展開状態となる。本実施例では、ストッパ５６に対して１本の紐５２を引っ張るだけで、上述した実施例と同様の効果を得ることができ、より簡単に団扇５０とメガホン６０の切り替えを行うことができる。
【００２０】
　なお、本考案は、上述した実施例に限定されるものではなく、本考案の要旨を逸脱しない範囲内において種々変更を加え得ることができる。例えば、以下のものも含まれる。
(1)前記実施例で示した形状，大きさは一例であり、必要に応じて適宜変更してよい。模様や色彩などについても、必要に応じて適宜変更可能である。例えば、団扇１０又は５０の表面１２や裏面１４に、観戦する試合に出場する選手の写真やサインを印刷する，などである。
【００２１】
　(2)前記実施例で示した台紙の材質も一例であり、同様の効果を奏するものであれば、厚紙のほか、ダンボールやプラスチック板を利用するようにしてもよい。また、表面１２や裏面１４に薄いラミネートフィルムなどを設けて防水処理などを施すようにしてもよい。
【００２２】
　(3)前記実施例で示したストッパ２８，５６も一例であり、同様の効果を奏するものであれば、どのような調節・固定機構のものであってもよい。
【００２３】
　(4)団扇１０の右端１０Ａと左端１０Ｂにマジックテープのオス・メスをそれぞれ設け、両者の接合によって端を接合・固定してもよいし、一方の端に凸片，他方の端に切り込みをそれぞれ設け、切り込みに凸片を挿入することで両端を固定するなど、適宜の手段で団扇１０の両端を接合するようにしてもよい。
【００２４】
　(5)本考案のメガホン兼用団扇は、スポーツなどの観戦のみならず、コンサート会場や運動会などの催しものなど、時期や屋内・屋外などを問わず、各種の場面で利用可能である。
【産業上の利用可能性】
【００２５】
　本考案によれば、略扇状の台紙の内周縁から外周縁にかけて略放射状に複数の折り曲げ線を設け、該折り曲げ線で区切られた部分ごとに紐の通し穴を設ける。そして、該複数の通し穴に前記台紙の表面と裏面を交互に伝うように紐を挿通するとともに、該紐の両端部を合わせて形成されるループの大きさを調節・固定するストッパを設けることとした。このため、前記紐のスライドにより、筒状に丸めた状態ではメガホンとしても使用することができるメガホン兼用の団扇の用途に適用できる。特に、前記紐のスライドにより容易に団扇とメガホンの態様の切り替えを行うことができるとともに、平面状に展開可能なため、持ち運びにも便利で、スポーツなどの観戦時の使用などに好適である。
【図面の簡単な説明】
【００２６】
【図１】本考案の実施例１を示す図であり、（Ａ）は本実施例を展開した団扇の状態を示す図であり、（Ｂ）は団扇の使用状態を示す図、（Ｃ）及び（Ｄ）は本実施例の団扇をメガホンに切り替える状態を示す図,（Ｅ）はメガホンの使用状態を示す図である。
【図２】本考案の実施例２を示す図であり、（Ａ）は本実施例を展開した団扇の状態を示す図であり、（Ｂ）及び（Ｃ）は本実施例の団扇をメガホンに切り替える状態を示す図である。
【符号の説明】
【００２７】
１０：団扇
１０Ａ：右端
１０Ｂ：左端
１２：表面
１４：裏面
１６：外縁
１８：内縁
２０：折り曲げ線
２２：通し穴
２４：紐
２５：ループ
２６：結び目
２８：ストッパ
３０：本体
３２：穴
３４：凸部
３５：穴
３６：観戦者
４０：メガホン
５０：団扇
５２：紐
５４：房飾り
５６：ストッパ
５８：穴
６０：メガホン
【図１】
0003099293.tif 000003
【図２】
0003099293.tif 000004